(57)【要約】【課題】  室内設置の移動式流し台において、給排水管が露出配置されない構成を採用して、従前の移動式流し台における外観上の見苦しさを解消し、また足に引っかかり易かった危険性も解消する。【解決手段】  室内の台所等に設置されるアイランドタイプの流し台において、ボックス形状にして、適宜な収納部とシンク２と給排水部３，４とを備えた流し台本体１の底面１１に適宜な車輪６及び本体の固定機構７を設け、設置床板Ａに筒状体８を固着し、当該筒状体に給配水管を挿通して給排水部と連結すると共に、流し台の底面１１の適宜箇所が前記筒状体８に当接することで、筒状体の範囲外への移動を規制してなる。【選択図】  図１
2005143521.tif 000002
【特許請求の範囲】
【請求項１】
室内の台所等に設置されるアイランドタイプの流し台において、ボックス形状にして、適宜な収納部とシンクと給排水部とを備えた流し台本体の底面に、適宜な車輪及び本体固定機構を設け、設置床板に筒状体を固着し、当該筒状体に給配水管を挿通して給排水部と連結すると共に、流し台本体の底面の適宜箇所が前記筒状体に当接することで、筒状体の範囲外への移動を規制してなることを特徴とする移動式流し台。
【請求項２】
流し台本体の底面における適宜な隅部に、筒状体の外周に嵌合するリング体を設け、前記リング体を回動自在に筒状体に装着すると共に、筒状体を中心にする同心円軌跡方向に向けて固定配置した車輪を設けてなる請求項１記載の移動式流し台。
【請求項３】
流し台本体の底面における適宜箇所に、筒状体の外周と嵌合する長尺孔部を設け、前記長尺孔部に筒状体の上部を同長尺孔部に沿って移動可能に装着すると共に、当該長尺孔部の長尺方向への本体移動に対応できる内部給配水配管を行い、長尺孔部の長尺方向に平行なレール部を設けると共に、当該レール上を走行する車輪を付設してなる請求項１記載の移動式流し台。
【請求項４】
流し台本体の底面における側縁近傍に、筒状体の外周と嵌合する長尺孔部を設け、前記長尺孔部に筒状体の上部を長尺孔部に沿って移動可能で且つ回動可能に装着すると共に、当該長尺孔部の長尺方向への本体移動に対応できる内部給配水配管を行い、任意移動方向に対応する車輪を付設してなる請求項１記載の移動式流し台。
【発明の詳細な説明】
【技術分野】
【０００１】
本発明は移動式流し台に関するものである。
【背景技術】
【０００２】
流し台を作り付けとせずに、移動可能な構成にすると、配膳時並びに食事終了後の後片付けに際して、簡単で便利である。従来から流し台本体を移動可能に形成することが提案されている（特許文献１、２）。
【０００３】
【特許文献１】特開２０００−２７０９３９号公報。
【特許文献２】登録実用新案公報第３００５８０７号。
【発明の開示】
【発明が解決しようとする課題】
【０００４】
ところで移動式の流し台は、流し台本体にシンクを組み込んでいるが、その給排水について当該移動式流し台本体の使用し易さや使用範囲等に関して何ら考慮されていない。
【０００５】
給水機構について特許文献２には、水道蛇口とシンク隣接給水栓とを露出ホースで連結することが開示され、特許文献１には、当該流し台を蛇口まで移動させてシンク内に水を満たして使用することが開示されている。
【０００６】
更に排水については、特許文献１は、本体外への排水管が開示されているに過ぎないし、特許文献２では本体から伸縮自在とした配水管が外側に突出している構成が開示されている。
【０００７】
このように従前の移動式流し台は、汎用性を確保するために、給排水管が露出する構成を取らざるを得ないので、移動式流し台の周囲に給水ホースや配水管が露出配置されることになり、外観上も見苦しく、また足に引っかかり易く危険でもある。
【０００８】
そこで本発明は、室内における移動式流し台は、室内の限られた範囲でも充分必要な移動の目的を達成することに着目し、新規な構成の移動式流し台を提案したものである。
【課題を解決するための手段】
【０００９】
本発明に係る移動式流し台は、室内の台所等に設置されるアイランドタイプの流し台において、ボックス形状にして、適宜な収納部とシンクと給排水部とを備えた流し台本体の底面に適宜な車輪及び本体の固定機構を設け、設置床板に筒状体を固着し、当該筒状体に給配水管を挿通して給排水部と連結すると共に、流し台本体の底面の適宜箇所が前記筒状体に当接することで、筒状体の範囲外への移動を規制してなることを特徴とするものである。
【００１０】
従って流し台本体は、床板面に設けた筒状体が本体移動を規制し、流し台の給排水部と連結する給配水管が前記筒状体を通って床下に入り、水道管や排水管と接続するもので、給配水管が流し台の外方に露出することなく、流し台の室内移動がなされ、所望位置で固定することができるものである。
【００１１】
また特に前記構成において、流し台本体の底面における適宜な隅部に、筒状体の外周に嵌合するリング体を設け、前記リング体を回動自在に筒状体に装着すると共に、筒状体を中心にする同心円軌跡方向に向けて固定配置した車輪を設けてなる構成を採用することで、流し台は、流し台本体の隅部に位置するリング体を中心に回動して、所望の位置に移動固定して使用に供することができる。
【００１２】
更に流し台本体の底面における適宜箇所に、筒状体の外周と嵌合する長尺孔部を設け、前記長尺孔部に筒状体の上部を同長尺孔部に沿って移動可能に装着すると共に、当該長尺孔部の長尺方向への本体移動に対応できる内部給配水配管を行い、長尺孔部の長尺方向に平行なレール部を設けると共に、当該レール上を走行する車輪を付設してなる構成を採用することで、流し台はレールに沿って移動でき、所望の位置に固定されて使用に供することができる。
【００１３】
また特に流し台本体の底面における側縁近傍に、筒状体の外周と嵌合する長尺孔部を設け、前記長尺孔部に筒状体の上部を移動可能で且つ回動可能に装着すると共に、当該長尺孔部の長尺方向への本体移動に対応できる内部給配水配管を行い、任意移動方向に対応する車輪を付設してなる構成を採用すると、回動中心をずらして流し台を回転し、所望の位置に固定して使用に供することができる。
【発明の効果】
【００１４】
以上の通りの構成で、給排水機能を有するシンクを備えた流し台本体を、所定の範囲で回転移動したり横移動させて、室内において、所望位置にアイランドタイプの流し台を設置できるようにしたもので、ダイニングキッチンの模様替えや、来訪客のもてなしのため（例えば庭側に近づくように配置する等）の配置構成を容易に選択できるものである。
【発明を実施するための最良の形態】
【００１５】
次に本発明の実施形態について説明する。以下に述べる各実施形態は、床下配管と流し台の給排水管との接続構成に相違があるが、流し台本体１の構成は基本的に共通しているものである。
【００１６】
流し台本体１は、適宜なシンク２を備え、シンク２の底面に排水管３を接続し、当該シンク２の近傍に給水管４と接続した給水栓５を備えてなり、底面にキャスター６を付設すると共に、適宜な固定機構７を備えたものである。
【００１７】
特に床下配管と流し台本体１内の排水管３及び給水管４との接続箇所である床面Ａに、所定の透孔を穿設すると共に、当該透孔に流し台本体１の底面板１１より上方に突出する筒状体８を装着し、当該筒状体８を貫通する給排水管３，４をカバー部材８１で密閉被覆し、床下と流し台本体内との空気流通を遮断しているものである。
【００１８】
また固定機構７は、図８に例示するとおり、流し台本体１の適宜な側面の下方に枢結軸７１で任意に回動できるようにした固定部７２及び固定部７２の回動操作を行うハンドル部７３を設け、この固定部７２を偏心カム形状とし、外周面に摩擦抵抗の大きいゴム質のストッパー面７４を形成して、ハンドル部７３の操作によってストッパー面７４が床面Ａと当接若しくは離脱するようにしたものである。
【００１９】
図１、２は本発明の第一実施形態を示すもので、この実施形態は、前記の共通構成を備えると共に、特に流し台本体１を回転移動する構成としたものである。
【００２０】
筒状体８に対応し且つ筒状体８の外周に嵌合するリング体９を、流し台本体１の底面１１における四隅部の一箇所に設け、筒状体８の外周にリング体９を回動自在に装着し、キャスター６は、筒状体８（リング体９）を中心とする同心円軌跡方向に向けて固定配置したものである。
【００２１】
従って前記第一実施形態の流し台本体１は、筒状体８（リング体９）を中心として任意に回動することができ、所望位置までに回動させた後固定機構を操作し、当該箇所に固定して流し台を使用に供するものである。
【００２２】
図３乃至５は、本発明の第二実施形態を示すもので、この実施形態は、共通構成を備えると共に、特に流し台本体１を平行移動する構成としたものである。
【００２３】
流し台本体１の底面１１における適宜箇所に、筒状体８が移動嵌合される長尺孔部１２を形成し、筒状体８が当該長尺孔部１２内で長尺方向へ移動可能に設け、筒状体８を連結固定されるように設け、移動方向に対応するＶ状レール６１を床面に敷設し、前記Ｖ状レール６１に沿って移動するキャスター６を設け、特に流し台本体１内においては、給排水管３，４が流し台本体１の移動よって撓曲できる柔軟性を備えた構造や或いは移動方向に伸縮可能な蛇腹状の構造のものを採用したものである。
【００２４】
従って前記第二実施形態の流し台本体１は、Ｖ状レールに沿って任意に移動することができ、所望位置までに平行移動させて固定し、当該箇所で流し台を使用に供することができるものである。
【００２５】
特にＶ状レール６１を床面Ａに埋設することで、床面上の歩行に際しての支障にならず、レール６１と車輪（キャスター）６の組み合わせで、移動抵抗を極めて少なくすることができる。
【００２６】
図６、７は本発明の第三実施形態を示すもので、この実施形態は、前記の共通構成を備えると共に、特に流し台本体１を回転移動すると同時に平行移動も可能とした構成としたものである。
【００２７】
具体的には、流し台本体１の底面１１における一側縁の近傍に、筒状体８が移動嵌合される長尺孔部１２を形成し、筒状体８が当該長尺孔部１２内での長尺方向への移動可能及び回動自在に設け、キャスター６は任意方向への移動が可能である構造としたものである。勿論流し台本体１内においては、給排水管３，４が流し台本体１の移動よって撓曲できる柔軟性を備えた構造のものを採用する。
【００２８】
従って前記第三実施形態の流し台本体１は、筒状体８を中心として任意の回動と、筒状体８の長尺孔部１２内での移動が可能で、流し台位置の多様な選択が可能となったものである。
【図面の簡単な説明】
【００２９】
【図１】本発明の第一実施形態の透視斜視図。
【図２】同移動説明図（平面図）。
【図３】同第二実施形態の断面図（正面）。
【図４】同移動説明図（平面図）。
【図５】同断面図（側面）。
【図６】同第三実施形態の透視斜視図。
【図７】同移動説明図（平面図）。
【図８】本発明の固定機構の説明図。
【符号の説明】
【００３０】
１          流し台本体
１１        底面
１２        長尺孔部
２          シンク
３          排水管
４          給水管
５          給水栓
６          キャスター（車輪）
６１        Ｖ状レール
７          固定機構
７１        枢結軸
７２        固定部
７３        ハンドル部
７４        ストッパー面
８          筒状体
８１        カバー部材
【図１】
2005143521.tif 000003
【図２】
2005143521.tif 000004
【図３】
2005143521.tif 000005
【図４】
2005143521.tif 000006
【図５】
2005143521.tif 000007
【図６】
2005143521.tif 000008
【図７】
2005143521.tif 000009
【図８】
2005143521.tif 000010